(57)【要約】【課題】止水性を確保しつつ、花卉を容易に挿入でき、また、保水容器を容易に持ち運べる蓋を提供する。【解決手段】貯水用のカップＣに被せ、開口部２に花卉の茎を挿入し、外周側から開口部２へ向かう堰止壁３により転倒時の水漏れを防止する花卉輸送用保水容器の蓋において、開口部２を偏心させ、堰止壁３のテーパを、開口部２がカップＣの周壁に近づく部分で小さくする。開口部２がカップＣの周壁から離れた部分を下にして保水容器を倒した場合には、従来と同様に水漏れが防止される。また、開口部２がカップＣの周壁に近づく部分にかけて、従来よりも開口部２を大きくすることができるので、花卉を容易に挿入することができる。さらに、持ち運びに際し、開口部２がカップＣの周壁に近づく部分で、開口部２に手を入れてカップＣを掴んでも、蓋１がほとんど変形しない。【選択図】図１
2006151511.tif 000002
【特許請求の範囲】
【請求項１】
貯水用のカップに被せ、開口部に花卉の茎を挿入し、外周側から開口部へ向かう堰止壁により転倒時の水漏れを防止する花卉輸送用保水容器の蓋において、前記開口部を偏心させたことを特徴とする花卉輸送用保水容器の蓋。
【請求項２】
前記堰止壁のテーパを、開口部がカップの周壁に近づく部分で小さくしたことを特徴とする請求項１に記載の花卉輸送用保水容器の蓋。
【請求項３】
前記堰止壁の開口部がカップの周壁から離れた部分に、外箱に形成した下向き鉤状の係止片が係合する係止段部を設けたことを特徴とする請求項１又は２に記載の花卉輸送用保水容器の蓋。
【発明の詳細な説明】
【技術分野】
【０００１】
この発明は、花卉を水に挿して鮮度を保ちつつ輸送できるようにした保水容器の蓋に関するものである。
【背景技術】
【０００２】
図７に示すように、外箱５１の底部に挿入して台枠５２により保持される花卉輸送用の保水容器として、貯水用の紙製カップＣにプラスチック製の蓋１１を被せ、蓋１１に、花卉の茎を挿入する開口部１２と、転倒時の水漏れを防止する堰止壁１３とを形成したものが提案されている。
【０００３】
この保水容器において、蓋１１の開口部１２の中心は、蓋１１自体の外周の中心と一致し、堰止壁１３のテーパは、全周にわたって均一となっている。
【発明の開示】
【発明が解決しようとする課題】
【０００４】
しかしながら、上記のような保水容器の蓋１１では、止水性を高めようとすると、開口部１２を小さくせざるを得ず、花卉が挿入しにくくなるという問題があった。
【０００５】
また、保水容器を持ち運ぶ際、蓋１１の開口部１２に手を入れてカップＣを掴むと、堰止壁１３が潰れ、蓋１１の外周も変形して、カップＣから蓋１１が外れることがあった。
【０００６】
そこで、この発明は、止水性を確保しつつ、花卉を容易に挿入でき、また、保水容器を容易に持ち運べる蓋を提供することを課題とする。
【課題を解決するための手段】
【０００７】
上記課題を解決するため、この発明は、貯水用のカップに被せ、開口部に花卉の茎を挿入し、外周側から開口部へ向かう堰止壁により転倒時の水漏れを防止する花卉輸送用保水容器の蓋において、前記開口部を偏心させたのである。
【０００８】
また、堰止壁のテーパを、開口部がカップの周壁に近づく部分で小さくしたのである。
【０００９】
さらに、堰止壁の開口部がカップの周壁から離れた部分に、外箱に形成した下向き鉤状の係止片が係合する係止段部を設けたのである。
【発明の効果】
【００１０】
このような蓋を被せた保水容器では、開口部がカップの周壁から離れた部分を下にして保水容器を倒した場合には、従来と同様に水漏れが防止され、また、開口部がカップの周壁に近づく部分にかけて、従来よりも開口部を大きくすることができるので、花卉を容易に挿入することができる。
【００１１】
また、開口部がカップの周壁に近づく部分で堰止壁のテーパを小さくすると、その部分で蓋の開口部に手を入れてカップを掴んでも、蓋がほとんど変形せず、カップからの蓋の脱落が防止され、保水容器の持ち運びが容易になる。
【００１２】
さらに、堰止壁の開口部がカップの周壁から離れた部分に、外箱に切り起こしにより形成した下向き鉤状の係止片が係合する係止段部を設けると、外箱の内部で保水容器を固定することができ、外箱の壁面への衝突による花卉の傷みを防止することができる。
【発明を実施するための最良の形態】
【００１３】
まず、この発明の第１実施形態を図１乃至図３に基づいて説明する。
【００１４】
図１及び図２に示すように、この保水容器の蓋１は、紙製のカップＣに被せるプラスチック製のものであり、花卉の茎を挿入する開口部２に向けて、転倒時の水漏れを防止する堰止壁３を形成し、外周に沿ってカップＣの口部に嵌められる嵌合部４を設け、嵌合部４と堰止壁３の間に頂壁５を形成した構成とされている。
【００１５】
この蓋１において、開口部２の中心は、蓋１自体の外周の中心とずれており、開口部２は偏心した状態となっている。また、堰止壁３のテーパは、開口部２がカップＣの周壁に近づく部分で垂直に近い状態まで小さくなっており、開口部２がカップＣの周壁から離れた部分では、従来と同様の大きさとなっている。
【００１６】
このような蓋１をカップＣに被せ、図３に示すように、開口部２がカップＣの周壁から離れた部分を下にして保水容器を倒した場合には、従来と同様、堰止壁３及び頂壁５によりに水漏れが防止される。なお、保水容器を反対側に倒すと水が漏れるので、花卉を梱包する外箱には、倒してもよい方向を記載しておく必要がある。
【００１７】
また、カップＣの周壁には、継目の部分で段差が生じているが、蓋１をカップＣに被せる際、図１に示すように、カップＣの継目の部分に、開口部２がカップＣの周壁に近づく部分を一致させておくと、保水容器を倒したとき、この部分が上になるので、蓋１の嵌合部４とカップＣの口部の継目との間に生じた隙間から水が漏れることがない。
【００１８】
そして、上記のような蓋１を使用して、花卉を梱包すると、保水容器を倒す方向を守るかぎり、従来と同様の止水性が確保されるだけでなく、開口部２がカップＣの周壁に近づく部分にかけて、従来よりも開口部２を大きくすることができるので、梱包作業に際し、花卉を開口部２に容易に挿入することができる。
【００１９】
また、保水容器を持ち運ぶ際、開口部２がカップＣの周壁に近づく部分で開口部２に手を入れてカップＣを掴むと、この部分では堰止壁３のテーパが小さくなっているので、蓋１がほとんど変形せず、カップＣからの蓋１の脱落が防止され、保水容器を容易に持ち運ぶことができる。
【００２０】
そのほか、この蓋１は、堰止壁３のテーパを、開口部２がカップＣの周壁から離れた部分では、従来どおりの大きさとしていることから、成形時の離型性が損なわれることがなく、従来と同様に製造することができる。
【００２１】
次に、この発明の第２実施形態を図４乃至図６に基づいて説明する。
【００２２】
この実施形態に係る蓋１は、図４に示すように、上記第１実施形態のものと基本的に同様の形状であるが、堰止壁３から頂壁５にかけて、開口部２がカップＣの周壁から離れた部分に、係止段部６を設けたことを特徴としている。
【００２３】
また、この蓋１をカップＣに被せた保水容器は、図５に示すような外箱Ｂに収納する。この外箱Ｂには、開口する扉となった前壁の背後に対向する後壁に、一対の下向き鉤状の係止片ｈを切り起こしにより形成しておく。
【００２４】
そして、この保水容器を外箱Ｂに収納する際には、外箱Ｂの係止片ｈの鉤先部を撓ませつつ、保水容器の蓋１の係止段部６に係合させる。
【００２５】
このように、係止片ｈを係止段部６に係合させると、図６に示すような梱包状態において、外箱Ｂの内部で保水容器を固定することができるので、外箱Ｂの壁面への衝突による花卉の傷みを防止することができる。
【００２６】
また、外箱Ｂを、開口する扉となった前壁とは反対側の後壁を下にして倒したとき、保水容器から水漏れが防止されるので、花卉市場等での取扱時に、作業者の感覚に反することがなく、水漏れする方向に倒される危険性が減少する。
【図面の簡単な説明】
【００２７】
【図１】この発明の第１実施形態に係る蓋とカップを示す分解斜視図
【図２】同上の蓋をカップに被せた保水容器の斜視図
【図３】同上の保水容器を倒した状態を示す縦断側面図
【図４】この発明の第２実施形態に係る蓋とカップを示す分解斜視図
【図５】同上の蓋を被せた保水容器の外箱への収納過程を示す斜視図
【図６】同上の保水容器の外箱への収納状態を示す斜視図
【図７】従来の保水容器の使用状態を示す斜視図
【符号の説明】
【００２８】
１  蓋
２  開口部
３  堰止壁
４  嵌合部
５  頂壁
６  係止段部
Ｂ  外箱
Ｃ  カップ
ｈ  係止片
【図１】
2006151511.tif 000003
【図２】
2006151511.tif 000004
【図３】
2006151511.tif 000005
【図４】
2006151511.tif 000006
【図５】
2006151511.tif 000007
【図６】
2006151511.tif 000008
【図７】
2006151511.tif 000009